(57)【要約】【課題】本発明は、箱本体の中に収容したスクロールラップの表面を不意に傷つけることなく、使用者が安心して使用できるスクロールラップ収容箱を提供することにある。【解決手段】蓋に備える刃部により、箱本体の取出口から引き出した所望長さのラップフィルムを、前記箱本体内に入れたスクロールラップから切り取って使用するスクロールラップ収容箱であって、前記箱本体１は、少なくとも蓋３と重なりあう部分がラップフィルム５の引き出し方向に沿って、丸みを帯びていることを特徴とする。【選択図】　　　図２
2004142817.tif 000002
【特許請求の範囲】
【請求項１】
蓋に備える刃部により、箱本体の取出口から引き出した所望長さのラップフィルムを、前記箱本体内に入れたスクロールラップから切り取って使用するスクロールラップ収容箱であって、
前記箱本体（１）は、少なくとも蓋（３）との重なりあう部分がラップフィルム（５）の引き出し方向に沿って、丸みを帯びていることを特徴とするスクロールラップ収容箱。
【請求項２】
前記箱本体（１）と蓋（３）との重なりあう箇所には、それぞれにラップフィルム（５）の非接着部材（１０）を備えていることを特徴とする請求項１記載のスクロールラップ収容箱。
【請求項３】
前記取出口（２）の端縁（Ｇ）には、蓋（３）が接しない状態でラップフィルム（５）の位置決め手段（９）を設けていることを特徴とする請求項１又は２記載のスクロールラップ収容箱。
【請求項４】
前記蓋（３）の外面側には、滑止め手段（１１）を設けていることを特徴とする請求項１、２又は３記載のスクロールラップ収容箱。
【発明の詳細な説明】
【０００１】
【発明の属する技術分野】
本発明は、例えば、各種食品の保存用等に使用されるスクロールラップ収容箱に関するものである。
【０００２】
【従来の技術】
一般に広く使用されているスクロールラップ収容箱の構成は、図４及び図５にそれぞれ示すように、ボール紙を折り畳んで形成した長方体形状の箱本体２１の中に、スクロールラップ２４を収容したものであり、このスクロールラップ収容箱は、使用者が所望する長さのラップフィルム２５を箱本体２１の取出口２２から引き出した後に、箱本体２１と一体的な蓋２３の端縁に備わる刃部２６によって切り取って使用するものであった。
【０００３】
【発明が解決しようする課題】
しかしながら、上記のようなスクロールラップ収容箱においては、直方体形状の箱本体の外面側に沿って、切り取った後のラップフィルムが待機することにより、使用者が所望する長さにラップフィルムを切り取った後に、スクロールラップから延長する待機中のラップフィルムの取出し先端側が蓋の裏面側に押さえられることで、前記ラップフィルムの表面が傷つく恐れがあり、このことから、待機中のラップフィルムの保護が確実に行なえるスクロールラップ収容箱の登場が待たれていた。
【０００４】
本発明は、箱本体の中に収容したスクロールラップの表面を不意に傷つけることなく、使用者が安心して使用できるスクロールラップ収容箱を提供することにある。
【０００５】
【課題を解決するための手段】
本発明のうち請求項１記載の発明は、蓋に備える刃部により、箱本体の取出口から引き出した所望長さのラップフィルムを、前記箱本体内に入れたスクロールラップから切り取って使用するスクロールラップ収容箱であって、前記箱本体は、少なくとも蓋との重なりあう部分がラップフィルムの引き出し方向に沿って、丸みを帯びていることを特徴とする。
【０００６】
ここで丸みを帯びた形態とは、スクロールラップから引き出したラップフィルムが、鋭角な部分に接しないような形態であればよく、例えば、箱本体がスクロールラップと同様に、円形をなすものであってもよいし、或いは、箱本体の取出口の近傍箇所のみが彎曲面をなしているものであってもよい。
【０００７】
このように形成すると、箱本体の中に収容されたラップフィルムを取出口から引き出した後に、この取出口の近傍箇所が丸みを帯びていることで、使用者の所望する長さのラップフィルムを切り取った後に、蓋と箱本体との間に介在している待機中のラップフィルムが、該箱本体の表面に柔らかくフィットした状態で挟まれることになる。
【０００８】
本発明のうち請求項２記載の発明は、前記箱本体と蓋とが重なる箇所には、それぞれラップフィルムの非接着部材を備えているので、待機中のラップフィルムが非接着部材の介在によって、箱本体や蓋の表面に不意に接着しないことで、スクロールラップが使用に伴って前記箱本体の中で不規則に動いても、待機中のラップフィルムに無理な力がかからない構成となる。
【０００９】
ラップフィルムが接着しない部材としては、特に限定するものではないが、例えば、陶器等の緩衝材としてよく利用されているポリエチレン製の発泡シートや、或いはハニカム構造のシート等が挙げられる。
【００１０】
本発明のうち請求項３記載の発明は、前記取出口の端縁には、蓋が接しない状態でラップフィルムの位置決め手段を設けているので、スクロールラップから使用者の所望する長さのラップフィルムを切り取る際に、該ラップフィルムを安定した状態で切り取ることができる。
【００１１】
ここで位置決め手段としては具体的に、ラップフィルムの表面を傷つけない程度の接着性を備える素材で形成してあればよく、例えば、端縁への嵌め込みが可能なアルミキャップなどが挙げられる。また、端縁が蓋と接しない状態とは具体的に、前記端縁が箱本体の内側に向かって彎曲している状態などが挙げられる。
【００１２】
本発明のうち請求項４記載の発明は、前記蓋の外面側には、滑止め手段を設けているので、蓋の操作時に使用者の指の掛かりが良くなり、これにより、ラップフィルム切り取り時の蓋の開け閉めの操作が容易に行なえる。
ここで滑止め手段としては、使用者の指が蓋にしっかりと掛かるようなものであればよく、具体的には厚みの薄いゴム板を貼ったり、或いは無数の凸部を設けたもの等が挙げられる。
【００１３】
【発明の実施の形態】
本発明のスクロールラップ収容箱の具体的な構成を以下に説明する。
本スクロールラップ収容箱は、スクロールラップ４を収容する円筒状の箱本体１と、該箱本体１の長手方向に沿って延在したスリット状をなすラップフィルム５の取出口２と、前記箱本体１において取出口２を覆うように開閉可能に備わる蓋３と、からなっている。
【００１４】
まず箱本体１は、軸体７を中心としてスクロールラップ４を回転可能な状態で収容できる円筒形状をなしており、さらに、該箱本体１の周壁には、この箱本体１の長手方向に沿って、スリット状をなすラップフィルム５の取出口２が設けてある。また、この取出口２の幅については、スクロールラップ４の幅よりも狭く形成してあり、これにより、該スクロールラップ４が箱本体１内において不意に外れない構成となっている。
【００１５】
また蓋３は、箱本体１の外周面に沿って彎曲した形状をなし、該蓋３の一端側は蝶番８によって、開閉自在な状態で箱本体１に取り付けてあり、さらに前記蓋３の他端側には、当該蓋３の長手方向に沿って、スクロールラップ４から使用者の所望する長さのラップフィルム５を切り取るための刃部６を備えている。
【００１６】
そして、箱本体１における前記取出口２の近傍箇所の構成については、箱本体１が円筒形状をなすことから、ラップフィルム５の取り出し方向に沿って、丸みを帯びた形状をなしているとともに、前記箱本体１と蓋３との重なりあう部分には、それぞれに約０．５〜１．０ｍｍ厚の厚みの薄い発泡シート１０が貼ってある。これにより、スクロールラップ４から引き出されたラップフィルム５が、箱本体１と蓋３との間に介在した際に不意に接着することがなく、しかも、各発泡シート１０，１０間において、弾力をもった柔らかな状態で押さえられるので、未使用時における待機中のラップフィルム５表面の保護が確実に行なえる構成となっている。
【００１７】
また、前記取出口２の端縁Ｇには、頂部が丸みを帯びたアルミキャップ９が被せてあり、箱本体１内のスクロールラップ４から必要なラップフィルム５を切り取る際に、このラップフィルム５が、前記アルミキャップ９に軽く貼り付いて位置決めがなされるので、使用者が望んだ正確な長さをもって、しっかりとラップフィルム５が切り取られることとなる。さらに、前記取出口２の端縁Ｇは、箱本体１の内部に向かって彎曲しているので、使用時には、前記端縁Ｇが蓋３の裏面側と接っさず、これにより、前記端縁Ｇにおいて位置決めされた待機中のラップフィルム５を、蓋３の開閉操作によって傷つけない構成となっている。
【００１８】
さらに、本実施形態のスクロールラップ収容箱には、使用時において蓋３の外面側の掛りがよくなるように、ゴムシール１１が貼ってあり、ラップフィルム５の切取りの際に、蓋３の開閉がスムーズに行なえることになる。また、箱本体１の長手方向の一端側に、スクロールラップ４を収容するための開閉蓋１２が備わっている。一方、該箱本体１の他端側には、方形の支持板１３が取り付けてあり、未使用時において、本スクロールラップ収容箱を置いた際に、不意に転がらないように形成されている。また、本スクロールラップ収容箱の材質については、合成樹脂で形成してあり、これは、近年のリサイクル傾向を鑑みてスクロールラップ４の詰め替えを考慮したものであるが、例えば、全体をボール紙で形成してあってもよく、このことから、従来一般的に使用されている使い切りのタイプとしても提供できる。
【００１９】
そして図３に示すものは、本発明のスクロールラップ収容箱の他の実施形態を示すものであり、このスクロールラップ収容箱は、箱本体１の底部をフラットに形成したもので、箱本体１と蓋３とが重なりあう部分を含んだ上部側のみが丸みを帯びた形態をなすものである。このように形成すれば、ラップフィルム５表面の保護効果を損なうことなく、未使用時におけるスクロールラップ収容箱を置いた際の安定性が図れることになる。
【００２０】
【発明の効果】
本発明のうち請求項１記載の発明によれば、箱本体と蓋との間に待機中のラップフィルム表面の保護が図れることになる。
【００２１】
本発明のうち請求項２記載の発明によれば、請求項１記載の発明の効果に加えて、箱本体と蓋との間に介在した待機中のラップフィルムが、前記箱本体内で不規則に揺動するスクロールラップの動きに対応して自由に動くので、前記ラップフィルムに無理な力が掛からず、これにより確実な保護が図られることとなる。
【００２２】
本発明のうち請求項３記載の発明によれば、請求項１及び２記載の発明の効果に加えて、スクロールラップから所望する長さのラップフィルムを切り取る際に、しっかりと位置決めされることで、より正確な長さで前記ラップフィルムを切り取ることができる。
【００２３】
本発明のうち請求項４記載の発明によれば、請求項１、２及び３記載の発明の効果に加えて、蓋の外面側に指で触れた際のグリップ感が生まれ、ラップフィルムの切り取りの際の操作が行ないやすくなる。
【図面の簡単な説明】
【図１】本発明のスクロールラップ収容箱の全体を示す斜視図である。
【図２】図１に示すスクロールラップ収容箱の縦断面図である。
【図３】本発明の他の実施形態のスクロールラップ収容箱を示す縦断面図である。
【図４】従来のスクロールラップ収容箱の全体を示す斜視図である。
【図５】図４に示すスクロールラップ収容箱の縦断面図である。
【符号の説明】
１　箱本体
２　取出口
３　蓋
４　スクロールラップ
５　ラップフィルム
９　アルミキャップ（位置決め手段）
１０　発泡シート（非接着部材）
１１　ゴムシール（滑止め手段）
Ｇ　端縁
【図１】
2004142817.tif 000003
【図２】
2004142817.tif 000004
【図３】
2004142817.tif 000005
【図４】
2004142817.tif 000006
【図５】
2004142817.tif 000007